(57)【要約】【課題】除湿モードに応じて内部乾燥運転の時間を適正化できる空気調和機を提案する。【解決手段】空気調和機は、圧縮機(２１)、室外熱交換器(２３)、膨張機構(２４)および室内熱交換器(１１)が環状に接続された冷媒回路(ＲＣ)と、室内熱交換器(１１)が風通路内に配置されたケーシング(１０)とケーシング(１０)の風通路内に配置された室内ファン(１２)とを有する室内機(１)と、室内ファン(１２)により室内熱交換器(１１)を介して室内空気を循環させる送風運転および室内熱交換器(１１)を凝縮器として機能させる暖房運転の少なくとも一方により室内機(１)の風通路内を乾燥させる内部乾燥運転を行う制御装置(１００)とを備える。空気調和機は、異なる複数の除湿モードの運転が可能であり、複数の除湿モード夫々の運転後に行う内部乾燥運転は、異なる複数の除湿モードに応じて異なる運転時間を用いることが可能である。【選択図】図１
2020070977.tif 000002
【特許請求の範囲】
【請求項１】
圧縮機(２１)、室外熱交換器(２３)、膨張機構(２４)および室内熱交換器(１１)が環状に接続された冷媒回路(ＲＣ)と、
上記室内熱交換器(１１)が風通路内に配置されたケーシング(１０)と、上記ケーシング(１０)の上記風通路内に配置された室内ファン(１２)とを有する室内機(１)と、
上記室内ファン(１２)により上記室内熱交換器(１１)を介して室内空気を循環させる送風運転および上記室内熱交換器(１１)を凝縮器として機能させる暖房運転の少なくとも一方により上記室内機(１)の上記風通路内を乾燥させる内部乾燥運転を行う制御装置(１００)と
を備え、
異なる複数の除湿モードの運転が可能であり、
上記複数の除湿モード夫々の運転後に行う上記内部乾燥運転は、上記異なる複数の除湿モードに応じて異なる運転時間を用いることが可能なことを特徴とする空気調和機。
【請求項２】
請求項１に記載の空気調和機において、
上記複数の除湿モードの運転は、上記室内熱交換器(１１)の実質的に全部を蒸発域とする第１除湿運転と、上記室内熱交換器(１１)の一部を凝縮域とする一方、上記室内熱交換器(１１)の残りの部分を蒸発域とする第２除湿運転とを含み、
上記第１除湿運転後の上記内部乾燥運転の運転時間は、上記第２除湿運転後の上記内部乾燥運転の運転時間よりも長いことを特徴とする空気調和機。
【請求項３】
請求項２に記載の空気調和機において、
上記複数の除湿モードの運転は、上記室内熱交換器(１１)の一部を蒸発域にする一方、上記室内熱交換器(１１)の残りの部分を過熱域にする第３除湿運転を含み、
上記第３除湿運転後の上記内部乾燥運転の運転時間は、上記第１除湿運転後の上記内部乾燥運転の運転時間よりも短く、かつ、上記第２除湿運転後の上記内部乾燥運転の運転時間よりも長いことを特徴とする空気調和機。
【請求項４】
請求項１に記載の空気調和機において、
上記複数の除湿モードの運転は、上記室内熱交換器(１１)の実質的に全部を蒸発域とする第１除湿運転と、上記室内熱交換器(１１)の一部を凝縮域とする一方、上記室内熱交換器(１１)の残りの部分を蒸発域とする第２除湿運転とを含み、
上記第１除湿運転後の上記内部乾燥運転の運転時間は、上記第２除湿運転後の上記内部乾燥運転の運転時間よりも短いことを特徴とする空気調和機。
【請求項５】
請求項４に記載の空気調和機において、
上記複数の除湿モードの運転は、上記室内熱交換器(１１)の一部を蒸発域にする一方、上記室内熱交換器(１１)の残りの部分を過熱域にする第３除湿運転を含み、
上記第３除湿運転後の内部乾燥運転の運転時間は、上記第１除湿運転後の上記内部乾燥運転の運転時間よりも長く、かつ、上記第２除湿運転後の上記内部乾燥運転の運転時間よりも短いことを特徴とする空気調和機。
【請求項６】
請求項３または５に記載の空気調和機において、
上記第３除湿運転の継続時間が第１所定時間以上のとき、該第３除湿運転後に上記内部乾燥運転を行うと共に、
上記第２除湿運転の継続時間が第２所定時間以上のとき、該第２除湿運転後に上記内部乾燥運転を行うことを特徴とする空気調和機。
【発明の詳細な説明】
【技術分野】
【０００１】
本開示は、空気調和機に関する。
【背景技術】
【０００２】
従来、空気調和機としては、室内機と人検知センサを備え、冷房運転や除湿運転後に、人検知センサが人を検知した場合と人を検知しなかった場合で異なる内部乾燥運転を行うものがある(例えば、特開２０１８−１１２３７２号公報(特許文献１)参照)。
【先行技術文献】
【特許文献】
【０００３】
【特許文献１】特開２０１８−１１２３７２号公報
【発明の概要】
【発明が解決しようとする課題】
【０００４】
ところで、上記空気調和機では、除湿運転の終了時よりも冷房運転の終了時の方が熱交換器などに付着した水滴量が多いにも関わらず、冷房運転や除湿運転の終了後に行う内部乾燥運転の時間を同じにしている。
【０００５】
このため、上記空気調和機では、冷房運転や除湿運転を含む除湿モードに応じた内部乾燥運転の時間の適正化がなされていないため、必要以上に内部乾燥運転が行われて電力が消費されたり、ユーザーが不快に感じたりする場合がある。
【０００６】
また、上記空気調和機では、除湿モードによっては、熱交換器などに付着した水滴量が多い運転の終了後に内部乾燥運転を行うことで室内への湿度戻りが発生して、ユーザーに不快感を与える場合がある。
【０００７】
本開示では、除湿モードに応じて内部乾燥運転の時間を適正化できる空気調和機を提案する。
【０００８】
また、本開示では、内部乾燥運転時の湿度戻りを抑制できる空気調和機を提案する。
【課題を解決するための手段】
【０００９】
本開示の空気調和機は、
圧縮機、室外熱交換器、膨張機構および室内熱交換器が環状に接続された冷媒回路と、
上記室内熱交換器が風通路内に配置されたケーシングと、上記ケーシングの上記風通路内に配置された室内ファンとを有する室内機と、
上記室内ファンにより上記室内熱交換器を介して室内空気を循環させる送風運転および上記室内熱交換器を凝縮器として機能させる暖房運転の少なくとも一方により上記室内機の上記風通路内を乾燥させる内部乾燥運転を行う制御装置と
を備え、
異なる複数の除湿モードの運転が可能であり、
上記複数の除湿モード夫々の運転後に行う上記内部乾燥運転は、上記異なる複数の除湿モードに応じて異なる運転時間を用いることが可能なことを特徴とする。
【００１０】
本開示によれば、複数の除湿モード夫々の運転後に行う内部乾燥運転において、異なる複数の除湿モードに応じて異なる運転時間を用いることが可能であるので、室内熱交換器をしっかり乾燥させることを優先する場合は、室内熱交換器の水滴量が多い除湿モードほど、その除湿モードの運転後に行う内部乾燥運転を長くすることで、室内機の風通路内が確実に乾燥されるようにする。これにより、除湿モードに応じて内部乾燥運転の時間を適正化できる。
【００１１】
また、室内熱交換器から室内への湿度戻りを少なくすることを優先する場合は、室内熱交換器の水滴量が多い除湿モードほど、その除湿モードの運転後に行う内部乾燥運転を短くすることで、室内へ湿気が戻るのを抑える。これにより、除湿モードに応じて内部乾燥運転時の湿度戻りを抑制できる。
【００１２】
また、本開示の１つの態様に係る空気調和機では、
上記複数の除湿モードの運転は、上記室内熱交換器の実質的に全部を蒸発域とする第１除湿運転と、上記室内熱交換器の一部を凝縮域とする一方、上記室内熱交換器の残りの部分を蒸発域とする第２除湿運転とを含み、
上記第１除湿運転後の上記内部乾燥運転の運転時間は、上記第２除湿運転後の上記内部乾燥運転の運転時間よりも長い。
【００１３】
本開示によれば、室内熱交換器の実質的に全部を蒸発域となる第１除湿運転の終了後の室内熱交換器に付着した水滴量が第２除湿運転よりも多いので、第１除湿運転後の内部乾燥運転の運転時間を長くして、第１除湿運転の終了後の室内機の風通路内を確実に乾燥させることが可能になる。
【００１４】
また、本開示の１つの態様に係る空気調和機では、
上記複数の除湿モードの運転は、上記室内熱交換器の一部を蒸発域にする一方、上記室内熱交換器の残りの部分を過熱域にする第３除湿運転を含み、
上記第３除湿運転後の上記内部乾燥運転の運転時間は、上記第１除湿運転後の上記内部乾燥運転の運転時間よりも短く、かつ、上記第２除湿運転後の上記内部乾燥運転の運転時間よりも長い。
【００１５】
本開示によれば、室内熱交換器に付着する水滴量が多い第１除湿運転、第３除湿運転、第２除湿運転の順に、内部乾燥運転の運転時間が長短に設定されることで、第１〜第３除湿運転の除湿モードに応じて内部乾燥運転の時間を適正化できる。
【００１６】
また、本開示の１つの態様に係る空気調和機では、
上記複数の除湿モードの運転は、上記室内熱交換器の実質的に全部を蒸発域とする第１除湿運転と、上記室内熱交換器の一部を凝縮域とする一方、上記室内熱交換器の残りの部分を蒸発域とする第２除湿運転とを含み、
上記第１除湿運転後の上記内部乾燥運転の運転時間は、上記第２除湿運転後の上記内部乾燥運転の運転時間よりも短い。
【００１７】
本開示によれば、室内熱交換器の実質的に全部を蒸発域とする第１除湿運転の終了後の室内熱交換器に付着した水滴量が第２除湿運転よりも多いので、室内熱交換器の水滴量が多い第１除湿運転ほど、その第１除湿運転の運転後に行う内部乾燥運転を短くすることで、第１除湿運転の終了後の内部乾燥運転時の湿度戻りを抑制できる。
【００１８】
また、本開示の１つの態様に係る空気調和機では、
上記複数の除湿モードの運転は、上記室内熱交換器の一部を蒸発域にする一方、上記室内熱交換器の残りの部分を過熱域にする第３除湿運転を含み、
上記第３除湿運転後の内部乾燥運転の運転時間は、上記第１除湿運転後の上記内部乾燥運転の運転時間よりも長く、かつ、上記第２除湿運転後の上記内部乾燥運転の運転時間よりも短い。
【００１９】
本開示によれば、室内熱交換器に付着した水滴量が少ない第２除湿運転、第３除湿運転、第１除湿運転の順に、内部乾燥運転の運転時間が長短に設定されることで、第１〜第３除湿運転の終了後の内部乾燥運転時の湿度戻りを抑制できる。
【００２０】
また、本開示の１つの態様に係る空気調和機では、
上記第３除湿運転の継続時間が第１所定時間以上のとき、該第３除湿運転後に上記内部乾燥運転を行うと共に、
上記第２除湿運転の継続時間が第２所定時間以上のとき、該第２除湿運転後に上記内部乾燥運転を行う。
【００２１】
本開示によれば、第３除湿運転の継続時間が第１所定時間未満のとき、すなわち、室内熱交換器に付着した水滴量が少ない短時間の第３除湿運転では内部乾燥運転を行わないので、内部乾燥運転を効率よく行うことができる。また、第２除湿運転の継続時間が第２所定時間未満のとき、すなわち、室内熱交換器に付着した水滴量が少ない短時間の第２除湿運転では内部乾燥運転を行わないので、内部乾燥運転を効率よく行うことができる。
【図面の簡単な説明】
【００２２】
【図１】本開示の第１実施形態の空気調和器の冷媒回路の回路図である。
【図２】上記空気調和機の室内機の断面模式図である。
【図３】上記空気調和機の制御ブロック図である。
【図４】上記空気調和機の冷房除湿運転を説明するための模式図である。
【図５】上記空気調和機の過絞り除湿運転を説明するための模式図である。
【図６】上記空気調和機の再熱除湿運転を説明するための模式図である。
【図７】上記空気調和機の冷房除湿運転時、過絞り除湿運転時および再熱除湿運転時のモリエル線図である。
【図８】上記空気調和機の内部乾燥運転を説明するタイミングチャートである。
【図９】本開示の第３実施形態の空気調和機の内部乾燥運転を説明するタイミングチャートである。
【発明を実施するための形態】
【００２３】
以下、実施形態を説明する。なお、図面において、同一の参照番号は、同一部分または相当部分を表わすものである。また、長さ、幅、厚さ、深さ等の図面上の寸法は、図面の明瞭化と簡略化のために実際の尺度から適宜変更されており、実際の相対寸法を表してはいない。
【００２４】
〔第１実施形態〕
図１は、本開示の第１実施形態の空気調和機が備える冷媒回路ＲＣの回路図である。
【００２５】
上記空気調和機は、空調対象である室内に設置される室内機１と、室外に設置される室外機２とを備える。
【００２６】
＜室内機１の構成＞
上記空気調和機の室内機１は、例えば、室内の壁面に取り付けられる壁掛け式の室内ユニットである。この室内機１は、室内熱交換器１１と、この室内熱交換器１１に空気を送る室内ファン１２と、室内熱交換器１１の温度を検出する室内熱交換器温度センサ５１と、室内温度を検出する室内温度センサ５２と、室内湿度を検出する室内湿度センサ５３と、ストリーマ放電ユニット３０とを有する。
【００２７】
室内熱交換器１１は、室内ファン１２による空気流に関して、室内ファン１２よりも上流側に位置している。この室内熱交換器１１は、室内ファン１２からの空気と冷媒との熱交換を行うために、本体熱交換部１１ａと、補助熱交換部１１ｂと、制御弁の一例としての電磁弁１３とを有する。
【００２８】
本体熱交換部１１ａは、室内側に位置する正面部１１ａ−１と、室内側とは反対側に位置する背面部１１ａ−２とから成っている。また、正面部１１ａ−１は、冷媒配管Ｌ１２，Ｌ１３および電磁弁１３を介して背面部１１ａ−２に流体的に接続されている。これにより、膨張弁２４から本体熱交換部１１ａへ流れる冷媒は、正面部１１ａ−１を流れた後、背面部１１ａ−２に流入することが可能となっている。
【００２９】
補助熱交換部１１ｂは、本体熱交換部１１ａの正面部１１ａ−１に関して本体熱交換部１１ａの背面部１１ａ−２側とは反対側に設けられている。すなわち、補助熱交換部１１ｂは、本体熱交換部１１ａの正面部１１ａ−１よりも、室内側に位置する。この補助熱交換部１１ｂは、本体熱交換部１１ａよりも、容積が小さい。また、補助熱交換部１１ｂの一端に冷媒配管Ｌ４が接続され、補助熱交換部１１ｂの他端に、冷媒配管Ｌ１１を介して本体熱交換部１１ａの正面部１１ａ−１を接続している。これにより、膨張弁２４側からの冷媒は、補助熱交換部１１ｂを介して、本体熱交換部１１ａに供給される。
【００３０】
室内ファン１２としては、例えば、クロスフローファンが採用される。このクロスフローファンは、室内熱交換器１１で温度などが調整された空気を室内に向けて吹き出す。
【００３１】
電磁弁１３は、室内熱交換器１１の冷媒パスの中間部に設けられている。より詳しく説明すると、本体熱交換部１１ａの正面部１１ａ−１側と本体熱交換部１１ａの背面部１１ａ−２側との間に差圧を設定するための弁である。電磁弁１３は、大開度および小開度の２位置のみを取ることが可能なオンオフ弁であり、必要時(例えば、後述する再熱除湿運転時)にオンされ、大開度の位置から小開度の位置に切り替えられる。
【００３２】
＜室外機２の構成＞
上記空気調和機の室外機２は、圧縮機２１と、四路切換弁２２と、室外熱交換器２３と、膨張機構の一例としての膨張弁２４と、アキュムレータ２５と、室外熱交換器２３に空気を送る室外ファン２６とを有する。さらに、室外機２は、室外熱交換器２３の温度を検出する室外熱交換器温度センサ５６と、外気温度を検出する外気温度センサ５７と、膨張弁２４で減圧された冷媒の温度(蒸発温度)を検出する冷媒温度センサ５８とを有する。
【００３３】
室外熱交換器２３は、室外ファン２６による空気流に関して、室外ファン２６よりも下流側に位置している。室外熱交換器２３内を流れる冷媒は、室外ファン２６からの空気と熱交換する。
【００３４】
膨張弁２４は、互いに異なる３以上の開度に調整可能な例えば電動弁であって、制御装置１００(図３に示す)からの信号に応じて開度が変化する。
【００３５】
＜冷媒回路ＲＣの構成＞
また、上記空気調和機の冷媒回路ＲＣは、室内熱交換器１１、圧縮機２１、四路切換弁２２、室外熱交換器２３、膨張弁２４、アキュムレータ２５および冷媒配管Ｌ１〜Ｌ７から成っている。より詳しく説明すると、室内熱交換器１１、圧縮機２１、四路切換弁２２、室外熱交換器２３、膨張弁２４およびアキュムレータ２５が、冷媒配管Ｌ１〜Ｌ７によって流体的に接続される。これにより、環状の冷媒回路ＲＣが構成されている。このような冷媒回路ＲＣにおいて、圧縮機２１を駆動時することにより冷媒が循環する。
【００３６】
また、図示しないが、上記空気調和機は、リモートコントローラ(以下、「リモコン」と言う。)を備える。ユーザーは、リモコンを操作して、自動運転、冷房運転、暖房運転、除湿運転などを開始させたり、停止させたりすることができる。
【００３７】
図２は、室内機１の断面模式図である。
【００３８】
図２に示すように、室内機１は、室内熱交換器１１が風通路内に配置されたケーシング１０と、ケーシング１０の風通路内かつ室内熱交換器１１よりも下流側に配置された室内ファン１２と、ケーシング１０の風通路内かつ室内熱交換器１１よりも上流側にストリーマ放電ユニット３０とを有する。図２において、３１は、吹出口１ａに設けられ、上下方向に回動可能な水平フラップである。また、ケーシング１０の風通路は、太い実線の矢印で示されている空気流の通路である。
【００３９】
ストリーマ放電ユニット３０は、プラズマ放電の一種であるストリーマ放電が発生する。このストリーマ放電の発生時に酸化分解力の高い活性種が生成され、これらの活性種は、ケーシング１０の風通路内において、アンモニア類や、アルデヒド類、窒素酸化物等の小さな有機分子からなる有害成分や臭気成分を分解する。
【００４０】
また、図３は、上記空気調和機の制御ブロック図である。
【００４１】
上記空気調和機は、図３に示すように、冷媒回路ＲＣを制御する制御装置１００を備える。より詳しく説明すると、制御装置１００は、マイクロコンピュータ、入出力回路などから成っている。この制御装置１００が、室内熱交換器温度センサ５１、室内温度センサ５２、室内湿度センサ５３、室外熱交換器温度センサ５６、外気温度センサ５７、冷媒温度センサ５８などからの信号に基づいて、圧縮機２１、四路切換弁２２、膨張弁２４、室外ファン２６、室内ファン１２、電磁弁１３、ストリーマ放電ユニット３０および水平フラップ用駆動モータ３２などを制御する。
【００４２】
また、制御装置１００は、室内熱交換器１１の実質的に全部を蒸発域となる冷房除湿運転を行う冷房除湿運転制御部１００ａと、室内熱交換器１１の一部を蒸発域にする一方、室内熱交換器１１の残りの部分を過熱域にする過絞り除湿運転を行う過絞り除湿運転制御部１００ｂと、室内熱交換器１１の一部を凝縮域とする一方、室内熱交換器１１の残りの部分を蒸発域とする再熱除湿運転を行う再熱除湿運転制御部１００ｃとを有する。この冷房除湿運転制御部１００ａ、過絞り除湿運転制御部１００ｂおよび再熱除湿運転制御部１００ｃは、それぞれ、ソフトウェアにより構成されている。なお、上記冷房除湿運転は、第１除湿運転の一例であり、過絞り除湿運転は、第３除湿運転の一例であり、再熱除湿運転は、第２除湿運転の一例である。
【００４３】
上記冷房除湿運転(第１除湿運転)、過絞り除湿運転(第３除湿運転)、再熱除湿運転(第２除湿運転)は、室内熱交換器１１の蒸発域の面積が異なる除湿モードの運転である。
【００４４】
［冷房除湿運転(第１除湿運転)］
冷房除湿運転(第１除湿運転)は、図１に示すように、四路切換弁２２を実線の切換え位置に切り換えると共に、圧縮機２１を起動することで、開始される。この冷房除湿運転(第１除湿運転)中、圧縮機２１から吐出された高温高圧の冷媒が四路切換弁２２を介して室外熱交換器２３に流入する。そして、室外熱交換器２３で凝縮した冷媒は、膨張弁２４で減圧された後、室内熱交換器１１の補助熱交換部１１ｂと、室内熱交換器１１の本体熱交換部１１ａとに、この順で流入する。この本体熱交換部１１ａおよび補助熱交換部１１ｂで蒸発した冷媒が四路切換弁２２およびアキュムレータ２５を介して圧縮機２１の吸入側に戻る。このように、冷媒が冷媒回路ＲＣを循環するとき、冷房除湿運転制御部１００ａが、圧縮機２１の周波数と膨張弁２４の開度とを調整すると共に、電磁弁１３をオフにすることで、図４に示すように、室内熱交換器１１の全部を実質的に蒸発域(図４に示す斜線領域)とする。これにより、冷房除湿運転(第１除湿運転)は、室内温度を変化させるための能力である顕熱能力が高くなる。
【００４５】
ここで、室内熱交換器１１の全部を実質的に蒸発域にするとは、室内熱交換器１１の全部を蒸発域にするときだけでなく、所定条件下で室内熱交換器１１において一部を除いた部分だけを蒸発域にするときも含む。この一部(例えば、室内熱交換器１１の全容積の１／３以下の部分)だけが蒸発域とならない所定条件としては、例えば、室内環境などによって、室内熱交換器１１の冷媒出口近傍の部分が過熱域となるときなどがある。
【００４６】
［過絞り除湿運転(第３除湿運転)］
過絞り除湿運転(第３除湿運転)は、冷房除湿運転(第１除湿運転)のときと同じ方向に冷媒を流す。このとき、過絞り除湿運転制御部１００ｂが、圧縮機２１の周波数と膨張弁２４の開度とを調整すると共に、電磁弁１３をオフにすることで、室内熱交換器１１の上流側の一部を蒸発域とする一方、室内熱交換器１１の残りの部分を過熱域とする。例えば、過絞り除湿運転制御部１００ｂは、図５に示すように、補助熱交換部１１ｂを蒸発域(斜線のハッチングを付した領域)にする一方、本体熱交換部１１ａの正面部１１ａ−１および背面部１１ａ−２を過熱域(図５に示す点のハッチングを付した領域)にする。これにより、過絞り除湿運転(第３除湿運転)は、冷房除湿運転(第１除湿運転)よりも顕熱能力が低くなるので、室内の熱負荷が高くも低くもないとき、室温の低下を抑制しつつ、室内の除湿を行える。図５では、補助熱交換部１１ｂの全部が蒸発域となるように描かれているが、補助熱交換部１１ｂの一部だけを蒸発域にすることも可能である。すなわち、上記蒸発域は、容積を変更することが可能な可変領域である。
【００４７】
また、上記圧縮機２１および膨張弁２４は、過絞り除湿運転(第３除湿運転)中、蒸発域の容積が負荷に応じて変化するように制御される。例えば、過絞り除湿運転制御部１００ｂは、過絞り除湿運転(第３除湿運転)中、蒸発域が所定容積(例えば、室内熱交換器１１の全容積の２／３)以下となるように、圧縮機２１および膨張弁２４を制御する。
【００４８】
ここで、上記負荷に応じて変化するとは、室内から蒸発域に供給される熱量に応じて変化することであって、その熱量は例えば室内温度(室内機１が吸い込む空気の温度)と室内風量(室内機１が吹き出す風の量)によって決まる。また、上記負荷は、必要除湿能力(必要冷房能力)に対応しており、例えば、室内温度と設定温度との差に基づいて検知できる。なお、上記設定温度としては、予め設定された温度、または、ユーザーがリモコンで設定した温度が用いられる。
【００４９】
［再熱除湿運転(第２除湿運転)］
再熱除湿運転(第２除湿運転)は、冷房除湿運転(第１除湿運転)ときと同じ方向に冷媒を流す。このとき、再熱除湿運転制御部１００ｃが、圧縮機２１の周波数と膨張弁２４の開度とを調整すると共に、電磁弁１３をオンにすることで、室内熱交換器１１において電磁弁１３よりも上流側の少なくとも一部を凝縮域にする一方、室内熱交換器１１において電磁弁１３より下流側の少なくとも一部を蒸発域とする。例えば、再熱除湿運転制御部１００ｃは、図６に示すように、補助熱交換部１１ｂと本体熱交換部１１ａの正面部１１ａ−１とを凝縮域(図６に示す格子のハッチングを付した領域)にする一方、本体熱交換部１１ａの背面部１１ａ−２を蒸発域(図６に示す斜線領域)にする。これにより、再熱除湿運転(第２除湿運転)は、過絞り除湿運転(第３除湿運転)よりも顕熱能力が低くなるので、室内の熱負荷が低いとき、室温の低下を抑制しつつ、室内の除湿を行える。
【００５０】
また、上記再熱除湿運転では、電磁弁１３は、小開度の位置に切り替えられる。すなわち、上記再熱除湿運転における電磁弁１３の開度は、空気流量が１０．０Ｌ／ｍｉｎ未満に相当する開度である。上記再熱除湿運転における電磁弁１３の開度は、空気流量が５．０Ｌ／ｍｉｎに相当する開度であれば、好ましい。さらに、上記再熱除湿運転における電磁弁１３の開度は、空気流量が３．５Ｌ／ｍｉｎに相当する開度であれば、さらに好ましい。ここで、「上記再熱除湿運転における電磁弁１３の開度が、空気流量が１０Ｌ／ｍｉｎ未満に相当する開度である」とは、上記開度において冷媒回路ＲＣを流れる空気流量が１０Ｌ／ｍｉｎ未満であることをいうのではなく、電磁弁１３の流量特性から求められる上記開度における空気流量が１０Ｌ／ｍｉｎ未満であることをいう。
【００５１】
上記冷房除湿運転(第１除湿運転)、過絞り除湿運転(第３除湿運転)または再熱除湿運転(第２除湿運転)は、リモコンの除湿運転のボタンの押下に応じて開始するようになっている。より詳しく説明すると、除湿運転のボタが押下されると、顕熱比ＳＨＦに基づいて、冷房除湿運転(第１除湿運転)、過絞り除湿運転(第３除湿運転)および再熱除湿運転(第２除湿運転)のうちの１つの除湿運転が自動的に選択されて開始する。その後、顕熱比ＳＨＦの変化に応じて、他の除湿運転に自動的に切り替わる。ここで、顕熱比ＳＨＦは、顕熱／(顕熱＋潜熱)で表され、例えば顕熱および潜熱は室内温度と室内湿度に基づいて算出する。
【００５２】
図７は、上記空気調和機の冷房除湿運転(第１除湿運転)時、過絞り除湿運転(第３除湿運転)時および再熱除湿運転(第２除湿運転)時のモリエル線図である。
【００５３】
過絞り除湿運転制御部１００ｂの制御は、過絞り除湿運転(第３除湿運転)の蒸発温度は、冷房除湿運転(第１除湿運転)の蒸発温度よりも低くなるように行われる。このとき、膨張弁２４の開度は、通常、冷房除湿運転(第１除湿運転)中の膨張弁２４の開度よりも小さくなる。
【００５４】
再熱除湿運転制御部１００ｃの制御は、再熱除湿運転(第２除湿運転)の蒸発温度が過絞り除湿運転(第３除湿運転)の蒸発温度よりも低くなるように行われる。このとき、膨張弁２４の開度は、過絞り除湿運転(第３除湿運転)中における膨張弁２４の最大開度よりも大きい開度に固定される。
【００５５】
また、過絞り除湿運転制御部１００ｂは、過絞り除湿運転(第３除湿運転)の開始後、冷媒温度センサ５８によって検出された蒸発温度を用いて、膨張弁２４の開度を調整する。より具体的に説明すると、上記蒸発温度が所定温度(例えば１０℃)となるように、かつ、室内熱交換器１１の冷媒パスの中間部が過熱域となるように、膨張弁２４の開度が調整される。
【００５６】
また、冷房除湿運転制御部１００ａと過絞り除湿運転制御部１００ｂは、冷房除湿運転(第１除湿運転)と過絞り除湿運転(第３除湿運転)との切り替えを顕熱比ＳＨＦに基づいて行う。この冷房除湿運転(第１除湿運転)から過絞り除湿運転(第３除湿運転)に切り替えるときの顕熱比ＳＨＦの第１閾値と、再熱除湿運転(第２除湿運転)から冷房除湿運転(第１除湿運転)に切り替えるときの顕熱比ＳＨＦの第２閾値とは、相互の切り替えにおいてヒステリシスを有するように異なる値に設定されている。
【００５７】
過絞り除湿運転制御部１００ｂと再熱除湿運転制御部１００ｃは、過絞り除湿運転(第３除湿運転)と再熱除湿運転(第２除湿運転)との切り替えを顕熱比ＳＨＦに基づいて行う。この過絞り除湿運転(第３除湿運転)から再熱除湿運転(第２除湿運転)に切り替えるときの顕熱比ＳＨＦの第３閾値と、再熱除湿運転(第２除湿運転)から過絞り除湿運転(第３除湿運転)に切り替えるときの顕熱比ＳＨＦの第２閾値とは、相互の切り替えにおいてヒステリシスを有するように異なる値に設定されている。
【００５８】
上記構成の空気調和機において、制御装置１００により、冷房除湿運転(第１除湿運転)と過絞り除湿運転(第３除湿運転)および再熱除湿運転(第２除湿運転)のそれぞれの終了後に内部乾燥運転を行う。この内部乾燥運転は、室内ファン１２により室内熱交換器１１を介して室内空気を循環させる送風運転、および、室内熱交換器１１を凝縮器として機能させる暖房運転により、室内機１の風通路内を乾燥させる。
【００５９】
暖房運転は、図１に示すように、四路切換弁２２を点線の切換え位置に切り換えると共に、圧縮機２１を起動することで、開始される。この暖房運転中、圧縮機２１から吐出された高温高圧の冷媒が四路切換弁２２を介して室内熱交換器１１に流入する。そして、室内熱交換器１１で凝縮した冷媒は、膨張弁２４で減圧された後、室外熱交換器２３に流入する。この室外熱交換器２３で蒸発した冷媒が四路切換弁２２およびアキュムレータ２５を介して圧縮機２１の吸入側に戻る。このとき、膨張弁２４を所定開度にし、電磁弁１３をオフにして冷媒回路ＲＣを冷媒が循環することで、室内熱交換器１１は凝縮器として機能し、室外熱交換器２３は蒸発器として機能する。
【００６０】
図８は、内部乾燥運転を説明するタイミングチャートである。
【００６１】
図８に示すように、運転指令が内部乾燥運転となると、最初の期間ｔ１において、ストリーマ放電ユニット３０(図１〜図３に示す)をオンし、水平フラップ用駆動モータ３２により水平フラップ３１を全閉状態から第１所定開度開く。
【００６２】
次に、期間ｔ２において、水平フラップ３１を第２所定開度(＞第１所定開度)開くと共に、室内ファン１２を駆動して、室内空気を室内機１の風通路を介して循環させる送風運転を行う。
【００６３】
次に、期間ｔ３において、室内ファン１２を止めて送風運転を停止すると共に、水平フラップ３１を全閉にする。
【００６４】
次に、期間ｔ４において、再び室内ファン１２を駆動して、室内空気を室内機１の風通路を介して循環させる送風運転を行う。このとき、室内ファン１２の回転数を期間ｔ２のときよりも高くしている。
【００６５】
次に、期間ｔ５において、室内ファン１２を止めて送風運転を停止すると共に、水平フラップ３１を全閉にする。この期間ｔ５の終了時点でストリーマ放電ユニット３０をオフする。
【００６６】
次に、期間ｔ６において、水平フラップ３１を全閉状態から第３所定開度(＜第１所定開度)開き、能力供給をオンにして暖房運転を行う。
【００６７】
次に、期間ｔ７において、水平フラップ３１を第２所定開度開いて、室内ファン１２を止めて送風運転を停止する。
【００６８】
そして、期間ｔ７の終了時点で水平フラップ３１を全閉して、内部乾燥運転を終了する。
【００６９】
このようにして、室内ファン１２により室内熱交換器１１を介して室内空気を循環させる送風運転および室内熱交換器１１を凝縮器として機能させる暖房運転により室内機１の風通路内を乾燥させる。
【００７０】
上記空気調和機では、冷房除湿運転(第１除湿運転)後の内部乾燥運転において運転時間Ｔ１(＝ｔ１＋…＋ｔ７)を１００分とし、過絞り除湿運転(第３除湿運転)後の内部乾燥運転において、期間ｔ２を短縮して運転時間Ｔ３(＝ｔ１＋…＋ｔ７)を７５分とし、再熱除湿運転(第２除湿運転)後の内部乾燥運転において、期間ｔ２をさらに短縮して運転時間Ｔ２(＝ｔ１＋…＋ｔ７)を５５分としている。
【００７１】
なお、この第１実施形態では、運転時間Ｔ１を１００分,Ｔ３を７５分,Ｔ２を５５分としたが、空気調和機の構成に応じて適宜設定すればよい。
【００７２】
上記第１実施形態の空気調和機によれば、冷房除湿運転(第１除湿運転),過絞り除湿運転(第３除湿運転),再熱除湿運転(第２除湿運転)の複数の除湿モード夫々の運転後に行う内部乾燥運転において、異なる運転時間Ｔ１,Ｔ３,Ｔ２を用いることを可能としている。したがって、室内熱交換器１１をしっかり乾燥させることを優先する場合は、室内熱交換器１１の水滴量が多い除湿モードほど、その除湿モードの運転後に行う内部乾燥運転を長くすることで、室内機１の風通路内が確実に乾燥されるようにする。これにより、除湿モードに応じて内部乾燥運転の時間を適正化できる。なお、室内熱交換器１１の水滴量は、室内環境や運転時間によって異なるが、冷房除湿運転(第１除湿運転)をＨ１、過絞り除湿運転(第３除湿運転)をＨ３、再熱除湿運転(第２除湿運転)をＨ２とすると、各運転おける室内熱交換器１１の水滴量は、
Ｈ１  ＞  Ｈ３  ＞  Ｈ２
となっている。
【００７３】
また、上記室内熱交換器１１の実質的に全部を蒸発域となる冷房除湿運転(第１除湿運転)の終了後の室内熱交換器１１に付着した水滴量が再熱除湿運転(第２除湿運転)よりも多いので、冷房除湿運転(第１除湿運転)後の内部乾燥運転の運転時間を長くして、冷房除湿運転(第１除湿運転)の終了後の室内機１の風通路内を確実に乾燥させることが可能になる。
【００７４】
また、室内熱交換器１１に付着する水滴量が多い冷房除湿運転(第１除湿運転)、過絞り除湿運転(第３除湿運転)、再熱除湿運転(第２除湿運転)の順に、内部乾燥運転の運転時間が長短に設定されることで、室内熱交換器１１に付着した水滴量が多い除湿モードの運転で内部乾燥運転時間を長くできる。これにより、冷房除湿運転(第１除湿運転),過絞り除湿運転(第３除湿運転),再熱除湿運転(第２除湿運転)に応じて内部乾燥運転の時間を適正化できる。
【００７５】
また、過絞り除湿運転(第３除湿運転)の継続時間が第１所定時間(例えば１００分)未満のとき、すなわち、室内熱交換器１１に付着した水滴量が少ない短時間の過絞り除湿運転(第３除湿運転)では内部乾燥運転を行わないので、内部乾燥運転を効率よく行うことができる。また、再熱除湿運転(第２除湿運転)の継続時間が第２所定時間(例えば１００分)未満のとき、すなわち、室内熱交換器１１に付着した水滴量が少ない短時間の再熱除湿運転(第２除湿運転)では内部乾燥運転を行わないので、内部乾燥運転を効率よく行うことができる。
【００７６】
〔第２実施形態〕
本開示の第２実施形態の空気調和機は、制御装置１００の動作を除いて第１実施形態の空気調和機と同一の構成をしており、図１〜図８を援用する。
【００７７】
上記空気調和機では、冷房除湿運転(第１除湿運転)後の内部乾燥運転において運転時間Ｔ１(＝ｔ１＋…＋ｔ７)を５５分とし、過絞り除湿運転(第３除湿運転)後の内部乾燥運転において、期間ｔ２を長くして運転時間Ｔ３(＝ｔ１＋…＋ｔ７)を７５分とし、再熱除湿運転(第２除湿運転)後の内部乾燥運転において、期間ｔ２をさらに長くして運転時間Ｔ２(＝ｔ１＋…＋ｔ７)を１００分としている。
【００７８】
なお、この第１実施形態では、運転時間Ｔ１を５５分,Ｔ３を７５分,Ｔ２を１００分としたが、空気調和機の構成に応じて適宜設定すればよい。
【００７９】
上記第２実施形態の空気調和機によれば、冷房除湿運転(第１除湿運転),過絞り除湿運転(第３除湿運転),再熱除湿運転(第２除湿運転)の複数の除湿モード夫々の運転後に行う内部乾燥運転において、異なる運転時間Ｔ１,Ｔ３,Ｔ２を用いることを可能としている。したがって、室内熱交換器１１から室内への湿度戻りを少なくすることを優先する場合は、室内熱交換器１１の水滴量が多い除湿モードほど、その除湿モードの運転後に行う内部乾燥運転を短くすることで、室内へ湿気が戻るのを抑える。これにより、内部乾燥運転時の湿度戻りを抑制できる。なお、室内熱交換器１１の水滴量は、室内環境や運転時間によって異なるが、冷房除湿運転(第１除湿運転)をＨ１、過絞り除湿運転(第３除湿運転)をＨ３、再熱除湿運転(第２除湿運転)をＨ２とすると、各運転おける室内熱交換器１１の水滴量は、
Ｈ１  ＞  Ｈ３  ＞  Ｈ２
となっている。
【００８０】
また、上記冷房除湿運転(第１除湿運転)の終了後の室内熱交換器１１に付着した水滴量が再熱除湿運転(第２除湿運転)よりも多いので、室内熱交換器１１の水滴量が多い冷房除湿運転(第１除湿運転)ほど、その冷房除湿運転(第１除湿運転)の運転後に行う内部乾燥運転を短くする。これにより、冷房除湿運転(第１除湿運転)の運転終了後の内部乾燥運転時の湿度戻りを抑制できる。
【００８１】
また、上記室内熱交換器１１に付着した水滴量が少ない再熱除湿運転(第２除湿運転)、過絞り除湿運転(第３除湿運転)、冷房除湿運転(第１除湿運転)の順に、内部乾燥運転の運転時間を長短に設定することで、冷房除湿運転(第１除湿運転),過絞り除湿運転(第３除湿運転),再熱除湿運転(第２除湿運転)の運転終了後の内部乾燥運転時の湿度戻りを抑制できる。
【００８２】
また、過絞り除湿運転(第３除湿運転)の継続時間が第１所定時間(例えば１００分)未満のとき、すなわち、室内熱交換器１１に付着した水滴量が少ない短時間の過絞り除湿運転(第３除湿運転)では内部乾燥運転を行わないので、内部乾燥運転を効率よく行うことができる。また、再熱除湿運転(第２除湿運転)の継続時間が第２所定時間(例えば１００分)未満のとき、すなわち、室内熱交換器１１に付着した水滴量が少ない短時間の再熱除湿運転(第２除湿運転)では内部乾燥運転を行わないので、内部乾燥運転を効率よく行うことができる。
【００８３】
〔第３実施形態〕
本開示の第３実施形態の空気調和機は、加湿装置(図示せず)と内部乾燥運転の動作を除いて第１実施形態の空気調和機と同一の構成をしており、図１〜図７を援用する。
【００８４】
この第３実施形態の空気調和機は、外部から加湿ホースを介して加湿空気を室内機１の風通路内に供給する加湿装置を備える。
【００８５】
図９は、内部乾燥運転を説明するタイミングチャートである。
【００８６】
図９に示すように、運転指令が内部乾燥運転となると、最初の期間ｔ１において、ストリーマ放電ユニット３０(図１〜図３に示す)をオンし、水平フラップ用駆動モータ３２により水平フラップ３１を全閉状態から第１所定開度開く。
【００８７】
次に、期間ｔ２ａにおいて、水平フラップ３１を第２所定開度(＞第１所定開度)開くと共に、室内ファン１２を駆動して、室内空気を室内機１の風通路を介して循環させる送風運転を行う。ここで、加湿ホース乾燥指令により、加湿装置においてヒータで加熱された外気が加湿装置から加湿ホースを介して室内機１の風通路内に供給されることにより、加湿ホース内を乾燥させる。
【００８８】
次に、期間ｔ２ｂにおいて、加湿装置を停止して、室内空気を室内機１の風通路を介して循環させる送風運転を続ける。
【００８９】
次に、期間ｔ３において、室内ファン１２を止めて送風運転を停止すると共に、水平フラップ３１を全閉にする。
【００９０】
次に、期間ｔ４において、再び室内ファン１２を駆動して、室内空気を室内機１の風通路を介して循環させる送風運転を行う。このとき、室内ファン１２の回転数を期間ｔ２ａ,ｔ２ｂのときよりも高くしている。
【００９１】
次に、期間ｔ５において、室内ファン１２を止めて送風運転を停止すると共に、水平フラップ３１を全閉にする。この期間ｔ５の終了時点でストリーマ放電ユニット３０をオフする。
【００９２】
次に、期間ｔ６において、水平フラップ３１を全閉状態から第３所定開度(＜第１所定開度)開き、能力供給をオンにして暖房運転を行う。
【００９３】
次に、期間ｔ７において、水平フラップ３１を第２所定開度開いて、室内ファン１２を止めて送風運転を停止する。
【００９４】
そして、期間ｔ７の終了時点で水平フラップ３１を全閉して、内部乾燥運転を終了する。
【００９５】
このようにして、室内ファン１２により室内熱交換器１１を介して室内空気を循環させる送風運転および室内熱交換器１１を凝縮器として機能させる暖房運転により室内機１の風通路内を乾燥させる。
【００９６】
上記第３実施形態の空気調和機において、第１実施形態と同様、室内熱交換器１１をしっかり乾燥させることを優先する場合は、冷房除湿運転(第１除湿運転)後の内部乾燥運転において運転時間Ｔ１(＝ｔ１＋…＋ｔ７)を１００分とし、過絞り除湿運転(第３除湿運転)後の内部乾燥運転において、期間ｔ２を短縮して運転時間Ｔ３(＝ｔ１＋…＋ｔ７)を７５分とし、再熱除湿運転(第２除湿運転)後の内部乾燥運転において、期間ｔ２を短縮して運転時間Ｔ２(＝ｔ１＋…＋ｔ７)を５５分としている。
【００９７】
なお、第２実施形態と同様、室内熱交換器１１から室内への湿度戻りを少なくすることを優先する場合は、冷房除湿運転(第１除湿運転)後の内部乾燥運転において運転時間Ｔ１(＝ｔ１＋…＋ｔ７)を５５分とし、過絞り除湿運転(第３除湿運転)後の内部乾燥運転において、期間ｔ２を長くして運転時間Ｔ３(＝ｔ１＋…＋ｔ７)を７５分とし、再熱除湿運転(第２除湿運転)後の内部乾燥運転において、期間ｔ２を長くして運転時間Ｔ２(＝ｔ１＋…＋ｔ７)を１００分としてもよい。
【００９８】
上記第１〜第３実施形態では、冷房除湿運転(第１除湿運転)と過絞り除湿運転(第３除湿運転)および再熱除湿運転(第２除湿運転)のそれぞれの終了後に内部乾燥運転を行ったが、過絞り除湿運転(第３除湿運転)のない空気調和機にこの発明を適用してもよい。この場合、冷房除湿運転(第１除湿運転)と再熱除湿運転(第２除湿運転)の終了後に、運転時間の異なる内部乾燥運転をそれぞれ行う。
【００９９】
また、第１〜第３実施形態では、ストリーマ放電ユニット３０を備えた空気調和機について説明したが、ストリーマ放電ユニットを備えていない空気調和機にこの発明を適用してもよい。
【０１００】
また、第１〜第３実施形態では、室内ファン１２により室内熱交換器１１を介して室内空気を循環させる送風運転および室内熱交換器１１を凝縮器として機能させる暖房運転により室内機１の風通路内を乾燥させる内部乾燥運転を行ったが、送風運転と暖房運転のうちの一方のみによる内部乾燥運転でもよい。
【０１０１】
本開示の具体的な実施の形態について説明したが、本開示は上記第１〜第３実施形態に限定されるものではなく、本開示の範囲内で種々変更して実施することができる。
【符号の説明】
【０１０２】
１…室内機
１ａ…吹出口
２…室外機
１０…ケーシング
１１…室内熱交換器
１１ａ…本体熱交換部
１１ａ−１…正面部
１１ａ−２…背面部
１１ｂ…補助熱交換部
１２…室内ファン
１３…電磁弁
２１…圧縮機
２２…四路切換弁
２３…室外熱交換器
２４…膨張弁(膨張機構)
２５…アキュムレータ
２６…室外ファン
３０…ストリーマ放電ユニット
３１…水平フラップ
３２…水平フラップ用駆動モータ
５１…室内熱交換器温度センサ
５２…室内温度センサ
５３…室内湿度センサ
５６…室外熱交換器温度センサ
５７…外気温度センサ
５８…冷媒温度センサ
１００…制御装置
１００ａ…冷房除湿運転制御部
１００ｂ…過絞り除湿運転制御部
１００ｃ…再熱除湿運転制御部
ＲＣ…冷媒回路
【図１】
2020070977.tif 000003
【図２】
2020070977.tif 000004
【図３】
2020070977.tif 000005
【図４】
2020070977.tif 000006
【図５】
2020070977.tif 000007
【図６】
2020070977.tif 000008
【図７】
2020070977.tif 000009
【図８】
2020070977.tif 000010
【図９】
2020070977.tif 000011